(57)【要約】【課題】簡単な構造で温度センサを保持し温度誤検知を防止して、より品質の良い空気調和機を提供すること。【解決手段】温度センサ固定装置１には一面に開口面３を設け少なくとも他の二面に複数の連通孔２を設けて形成される箱部５と、前記箱部開口面３の一端に他の部品と連結する本体固定部４を形成し、同一面上の他の一端には温度センサ固定溝６を有する温度センサ固定面８と前記箱部開口面３および温度センサ固定面８を連結する薄肉部９とを設け、さらに前記温度センサ固定面８に温度センサ１０の感熱部１１近傍の電線１２を保持する感熱部保持溝１５を有する感熱部保持板１６が形成されている。また温度センサ１０の電線１２には保護チューブ１７が設置されている。【選択図】図１
2008014525.tif 000002
【特許請求の範囲】
【請求項１】
一面に開口面を設け少なくとも他の二面に複数の連通孔を設けて形成される箱部と、前記箱部開口面の一端に他の部品と連結する本体固定部を形成し、同一面上の他の一端には温度センサ固定溝を有する温度センサ固定面と前記箱部開口面および温度センサ固定面を連結する薄肉部とを設け、さらに前記温度センサ固定面に温度センサの感熱部近傍の電線を保持する感熱部保持溝を有する感熱部保持板を形成し、前記箱部開口面に対し前記温度センサ固定面を１８０°折り返すことで温度センサの感熱部が箱部に収納される空気調和機の温度センサ固定装置。
【請求項２】
温度センサ固定面上に本体固定部の一部を形成し、箱部開口面に対し前記温度センサ固定面を１８０°折り返したとき本体固定部が形成される請求項１に記載の空気調和機の温度センサ固定装置。
【請求項３】
折り返しされた温度センサ固定面と箱部開口面とを密着保持する固定爪と固定穴を設けた請求項１または２に記載の空気調和機の温度センサ固定装置。
【請求項４】
折り返しされたときに感熱部保持板の感熱部を配置しない側に近接し感熱部保持溝の一部を覆う電線保持板を箱部に設置して構成した請求項１〜３のいずれか１項に記載の空気調和機の温度センサ固定装置。
【発明の詳細な説明】
【技術分野】
【０００１】
本発明は、空気調和機の温度センサ固定装置に関するものである。
【背景技術】
【０００２】
従来、この種の固定装置には、温度センサの感熱部を収納するための箱部と温度センサの感熱部を固定する温度センサ固定面を樹脂材料にて一体に形成し、箱部に対して温度センサ固定面を折り返すことで温度センサの感熱部を箱部に収納して構成されているものがあった（例えば、特許文献１参照）。
【０００３】
図９および図１０は、特許文献１に記載された従来の空気調和機の温度センサ固定装置の斜視図である。図９および図１０に示すように、温度センサ固定装置１は連通孔２と開口面３と本体固定部４を有する箱部５および温度センサ固定溝６と本体固定部７を有する温度センサ固定面８および箱部５と温度センサ固定面８を連結する薄肉部９を一体に形成して構成されており、温度センサ１０の感熱部１１近傍の電線１２を温度センサ固定溝６に挿入した後、箱部５に対して温度センサ固定面８を薄肉部９で折り返し、熱交換器１３の冷媒配管１４の間に差し込んで使用される。
【特許文献１】特開平１１−１５９８４０号公報
【発明の開示】
【発明が解決しようとする課題】
【０００４】
しかしながら、前記従来の構成では、温度センサ１０の電線１２が熱交換器１３のフィンおよび端板などの端面に接触して傷つくことがあり、電線１２に保護チューブを設置する事が多かったが、保護チューブを温度センサ固定溝６の手前まで設置した場合には電線１２が露出する部分が残って確実に保護することができず、また保護チューブを温度センサ固定溝６に挿入して設置した場合には温度センサ１０の感熱部１１を最適位置に保持することが難しく箱部５に接触して空気温度を正確に検知できないことがあるという課題を有していた。
【０００５】
本発明は、前記従来の課題を解決するもので、簡単な構造で温度センサを保護して温度誤検知を防止できる空気調和機の温度センサ固定装置を提供することを目的とする。
【課題を解決するための手段】
【０００６】
前記従来の課題を解決するために、本発明の空気調和機の温度センサ固定装置は、従来の温度センサ固定装置に加えて感熱部保持部を設け、温度センサ固定溝に保護チューブを挿入設置しさらに温度センサの感熱部近傍の電線を感熱部保持溝を有する感熱部保持板に配設して構成されるものである。
これによって、空気調和機の温度センサ固定装置は簡単な構造で温度センサを保護し感熱部を最適位置に保持して温度誤検知を防止することができる。
【発明の効果】
【０００７】
本発明の空気調和機の温度センサ固定装置は、簡単な構造で温度センサを保護し温度誤検知を防止することができ、より品質のよい空気調和機をユーザーに安価に提供することができる。
【発明を実施するための最良の形態】
【０００８】
第１の発明は、温度センサ固定装置を一面に開口面を設け少なくとも他の二面に複数の連通孔を設けて形成される箱部と、前記箱部開口面の一端に他の部品と連結する本体固定
部を形成し、同一面上の他の一端には温度センサ固定溝を有する温度センサ固定面と前記箱部開口面および温度センサ固定面を連結する薄肉部とを設け、さらに前記温度センサ固定面に温度センサの感熱部近傍の電線を保持する感熱部保持溝を有する感熱部保持板を形成し、前記箱部開口面に対し前記温度センサ固定面を１８０°折り返すことで温度センサの感熱部が箱部に収納される構成とし、温度センサの電線に設置した保護チューブを温度センサ固定溝に挿入設置することにより、空気温度を感知する機能を損なわずに簡単な構造で温度センサを保護し感熱部を最適位置に保持して温度誤検知を防止し、信頼性の高い空気調和機を提供することができる。
【０００９】
第２の発明は、特に、第１の発明において温度センサ固定面上に本体固定部の一部を形成し、箱部開口面に対し前記温度センサ固定面を１８０°折り返したとき本体固定部が形成されるように構成することにより、温度センサ固定装置が熱交換器に差し込まれている限り完成状態を維持することができより確実に温度センサを保護することができる。
【００１０】
第３の発明は、特に、第１または第２の発明において折り返しされた温度センサ固定面と箱部の開口面とを密着保持する固定爪と固定穴を設けて構成することにより、温度センサ固定装置を熱交換器に差し込まない状態でも完成状態を維持することができ組立作業時の保護をより確実にしさらに組立作業を容易にすることができる。
【００１１】
第４の発明は、特に、第１または第２もしくは第３の発明において折り返しされたときに感熱部保持板の感熱部を配置しない側に近接し感熱部保持溝の一部を覆う電線保持板を箱部に設置して構成することにより、より確実に温度センサの感熱部を最適位置に保持し温度誤検知を防止することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の温度センサ固定装置の斜視図、図２は、本発明の第１の実施の形態における空気調和機の温度センサ固定装置の完成状態を示す斜視図である。図１および図２において、従来の技術の図７および図８と同じ構成要素については同じ符号を用い、説明を省略する。
【００１４】
図１、図２において、温度センサ固定装置１には一面に開口面３を設け少なくとも他の二面に複数の連通孔２を設けて形成される箱部５と、前記箱部開口面３の一端に他の部品と連結する本体固定部４を形成し、同一面上の他の一端には温度センサ固定溝６を有する温度センサ固定面８と前記箱部開口面３および温度センサ固定面８を連結する薄肉部９とを設け、さらに前記温度センサ固定面８に温度センサ１０の感熱部１１近傍の電線１２を保持する感熱部保持溝１５を有する感熱部保持板１６が形成されている。また温度センサ１０の電線１２には保護チューブ１７が設置されている。
【００１５】
以上のように構成された空気調和機の温度センサ固定装置について、以下その動作、作用を説明する。
【００１６】
まず、温度センサ１０は感熱部１１近傍の電線１２を感熱部保持溝１５に挿入設置され、電線１２の保護チューブ１７を設置された部分を温度センサ固定溝６に挿入設置される。また保護チューブ１７の感熱部側端面は温度センサ固定溝６と感熱部保持溝１５の間となるように配置されている。次に、箱部開口面３に対し温度センサ固定面８を１８０°折り返すことで温度センサ１０の感熱部１１が箱部５に収納される。さらに、本体固定部４を熱交換器１３の冷媒配管１４の間に差し込むことにより、温度センサ固定装置１は空気
調和機に配設される。熱交換器１３近傍にはフィン１８および端板１９など温度センサ１０の電線１２が接触することで傷つく部品が多数あるけれど、保護チューブ１７から露出する部分がないため確実に保護することができる。
【００１７】
本実施の形態において、箱部５に形成される連通孔２は少なくとも一辺を３ｍｍ以下とした矩形状の孔とし温度センサ１０の感熱部１１が連通孔２を貫通しない構成を採っているが、感熱部１１よりも小なる形状であれば連通孔２は円形等をなして構成してもよい。
【００１８】
以上のように、本実施の形態においては、温度センサ固定装置を一面に開口面を設け少なくとも他の二面に複数の連通孔を設けて形成される箱部と、前記箱部開口面の一端に他の部品と連結する本体固定部を形成し、同一面上の他の一端には温度センサ固定溝を有する温度センサ固定面と前記箱部開口面および温度センサ固定面を連結する薄肉部とを設け、さらに前記温度センサ固定面に温度センサの感熱部近傍の電線を保持する感熱部保持溝を有する感熱部保持板を形成し、前記箱部開口面に対し前記温度センサ固定面を１８０°折り返すことで温度センサの感熱部が箱部に収納されるように構成することにより、空気温度を感知する機能を損なわずに簡単な構造で温度センサを保護し感熱部を最適位置に保持して温度誤検知を防止し、信頼性の高い空気調和機を提供することができる。
【００１９】
（実施の形態２）
図３は、本発明の第２の実施の形態における空気調和機の温度センサ固定装置の斜視図、図４は、本発明の第２の実施の形態における空気調和機の温度センサ固定装置の完成状態を示す斜視図である。図３および図４において、図１、図２、図９および図１０と同じ構成要素については同じ符号を用い、説明を省略する。
【００２０】
図３、図４において、温度センサ固定装置１には温度センサ固定面８上に本体固定部の一部４ａを形成し、箱部開口面３に対し前記温度センサ固定面８を１８０°折り返したとき本体固定部４が形成されるように構成されている。
【００２１】
以上のように構成された空気調和機の温度センサ固定装置においては、本体固定部４および４ａが熱交換器１３の冷媒配管１４の間に差し込まれている限り完成状態を維持することができ、より確実に温度センサ１０を保護することができる。
【００２２】
以上のように、本実施の形態においては、温度センサ固定装置を温度センサ固定面上に本体固定部の一部を形成し、箱部開口面に対し前記温度センサ固定面を１８０°折り返したとき本体固定部が形成されるように構成することにより、温度センサ固定装置が熱交換器に差し込まれている限り完成状態を維持することができより確実に温度センサを保護することができ、信頼性の高い空気調和機を提供することができる。
【００２３】
（実施の形態３）
図５は、本発明の第３の実施の形態における空気調和機の温度センサ固定装置の斜視図、図６は、本発明の第３の実施の形態における空気調和機の温度センサ固定装置の完成状態を示す斜視図である。図５および図６において、図１、図２、図３、図４、図９および図１０と同じ構成要素については同じ符号を用い、説明を省略する。
図５、図６において、温度センサ固定装置１には折り返しされた温度センサ固定面８と箱部開口面３とを密着保持する固定爪２０と固定穴２１が設けられている。
以上のように構成された空気調和機の温度センサ固定装置においては、温度センサ固定装置１を熱交換器１３に設置しない状態でも完成状態を維持することができ組立作業時の保護をより確実にしさらに組立作業を容易にすることができる。
【００２４】
以上のように、本実施の形態においては、温度センサ固定装置を折り返しされた温度セ
ンサ固定面と箱部開口面とを密着保持する固定爪と固定穴を設けた構成とすることにより、温度センサ固定装置を熱交換器に差し込まない状態でも完成状態を維持することができ組立作業時の保護をより確実にしさらに組立作業を容易にすることができる。
【００２５】
（実施の形態４）
図７は、本発明の第４の実施の形態における空気調和機の温度センサ固定装置の斜視図、図８は、本発明の第４の実施の形態における空気調和機の温度センサ固定装置の完成状態を示す斜視図である。図７および図８において、図１、図２、図３、図４、図５、図６、図９および図１０と同じ構成要素については同じ符号を用い、説明を省略する。
図７、図８において、温度センサ固定装置１には折り返しされたときに、感熱部保持板１６の感熱部１１を配置しない側１６ａに近接し感熱部保持溝１５の一部を覆うように箱部３に電線保持板２２が設置されている。
【００２６】
以上のように構成された空気調和機の温度センサ固定装置においては、感熱部１１近傍の電線１２を電線保持板２２により感熱部保持溝１５に固定するため、より確実に温度センサの感熱部を最適位置に保持し温度誤検知を防止することができる。
【００２７】
以上のように、本実施の形態においては、温度センサ固定装置を折り返しされたときに感熱部保持板の感熱部を配置しない側に近接し感熱部保持溝の一部を覆う電線保持板を箱部に設置して構成することにより、より確実に温度センサの感熱部を最適位置に保持し温度誤検知を防止することができ、信頼性の高い空気調和機を提供することができる。
【産業上の利用可能性】
【００２８】
以上のように、本発明にかかる空気調和機の温度センサ固定装置は、簡単な構造で温度センサを保護し温度誤検知を防止することが可能となるので、温度を検知して運転制御を行う送風機等の用途にも適用できる。
【図面の簡単な説明】
【００２９】
【図１】本発明の実施の形態１における空気調和機の温度センサ固定装置の斜視図
【図２】本発明の実施の形態１における空気調和機の温度センサ固定装置の完成状態を示す斜視図
【図３】本発明の実施の形態２における空気調和機の温度センサ固定装置の斜視図
【図４】本発明の実施の形態２における空気調和機の温度センサ固定装置の完成状態を示す斜視図
【図５】本発明の実施の形態３における空気調和機の温度センサ固定装置の斜視図
【図６】本発明の実施の形態３における空気調和機の温度センサ固定装置の完成状態を示す斜視図
【図７】本発明の実施の形態４における空気調和機の温度センサ固定装置の斜視図
【図８】本発明の実施の形態４における空気調和機の温度センサ固定装置の完成状態を示す斜視図
【図９】従来の空気調和機の温度センサ固定装置の斜視図
【図１０】従来の空気調和機の温度センサ固定装置の完成状態を示す斜視図
【符号の説明】
【００３０】
１  温度センサ固定装置
３  開口面
４  本体固定部
４ａ  本体固定部の一部
５  箱部
６  温度センサ固定溝
７  本体固定部
８  温度センサ固定面
９  薄肉部
１０  温度センサ
１１  感熱部
１２  電線
１３  熱交換器
１４  冷媒配管
１５  感熱部保持溝
１６  感熱部保持板
１７  保護チューブ
２０  固定爪
２１  固定穴
２２  電線保持板  
【図１】
2008014525.tif 000003
【図２】
2008014525.tif 000004
【図３】
2008014525.tif 000005
【図４】
2008014525.tif 000006
【図５】
2008014525.tif 000007
【図６】
2008014525.tif 000008
【図７】
2008014525.tif 000009
【図８】
2008014525.tif 000010
【図９】
2008014525.tif 000011
【図１０】
2008014525.tif 000012